(57)【要約】【課題】筒状のシュリンクフィルム内部に被包装物を挿入するときの位置決めが容易にできるシュリンクフィルム付台紙の包装体およびその製造方法を提供する。【解決手段】被包装物が筒状のシュリンクフィルムの中にシュリンク包装され、台紙の前パネルと後パネルの間に取り付けられたシュリンクフィルム付台紙の包装体であって、前パネルと後パネルのうち少なくとも一方に窓部が設けられ、窓部の上部の形状が、被包装物の縦断面の外形の上部の形状と略同形状であることを特徴とする。【選択図】図１
2013082461.tif 000002
【特許請求の範囲】
【請求項１】
被包装物が筒状のシュリンクフィルムの中にシュリンク包装され、台紙の前パネルと後パネルの間に取り付けられたシュリンクフィルム付台紙の包装体であって、前記前パネルと後パネルのうち少なくとも一方に窓部が設けられ、該窓部の上部の形状が、前記被包装物の縦断面の外形の上部の形状と略同形状であることを特徴とするシュリンクフィルム付台紙の包装体。
【請求項２】
前記筒状のシュリンクフィルムが、前記前パネルと後パネルにそれぞれ接着されていることを特徴とする請求項１に記載のシュリンクフィルム付台紙の包装体。
【請求項３】
請求項１または２に記載されているシュリンクフィルム付台紙の包装体の製造方法であって、
前記前パネルと後パネルと、貼着板を有し、窓部の設けられた台紙に、接着剤を塗布し接着部を設ける工程、
接着部に筒状のシュリンクフィルムを取り付ける工程、
前記貼着板に接着剤を塗布する工程、
前記前パネルと後パネルを対向するように折り、更に貼着板を折って貼着し、前記台紙を筒状にする工程、
前記前パネルと後パネルを開き、筒状のシュリンクフィルムを開く工程、
開かれた筒状のシュリンクフィルム中に被包装部を挿入し、該被包装物の上端部を窓部の上端部に突き当てて、位置決めする工程を有することを特徴とするシュリンクフィルム付台紙の包装体の製造方法。
【請求項４】
該被包装物の上端部を窓部の上端部に突き当てて位置決めする際に、前記窓部周辺の前記前パネルと後パネルを接近するように押圧しながら位置決めすることを特徴とする請求項３に記載のシュリンクフィルム付台紙の包装体の製造方法。
【発明の詳細な説明】
【技術分野】
【０００１】
本発明は、シュリンクフィルム付台紙の包装体およびその製造方法に関するものである。
【背景技術】
【０００２】
表示やデザインを印刷した台紙とともに、商品となる被包装物を、見えるように収納した包装には、熱成形したプラスチックシートに被包装物を収納して、台紙で塞ぐ、ブリスター包装や、台紙の上に被包装物を載せて、上から加熱したフィルムで直接包装する、スキンパックがある。
【０００３】
また、紙、合成樹脂、或いは金属板からなるカード（台紙１）に被包装物３を当該してこれらを、合成樹脂の熱収縮性の皮膜で被覆し、皮膜を過熱して熱収縮せしめ全体を緊密一体的に被着させた、カード包装がある
そのひとつとして、図６（Ａ）のように、カード（台紙１）に粘着剤を塗布して、粘着部１０を設け、熱収縮性チューブ（筒状のシュリンクフィルム２）を接着させ、シュリンクフィルム付台紙を製造して、図６（Ｂ）のように、被包装物３を収納し、熱収縮性チューブ（筒状のシュリンクフィルム２）を熱収縮させて、被包装物３を、カード（台紙１）に取り付けた包装体があった（特許文献１）。
【０００４】
また、筒状のシュリンクフィルム２を台紙１へ取り付ける別の方法として、台紙１の下端に延設された帯板を、筒状のシュリンクフィルム２内に挿通された状態で、上方に折り返して、帯板の先端を台紙１に設けたスリットに係止させたシュリンクフィルム付台紙があった（特許文献２）。
【０００５】
さらには、筒状のシュリンクフィルム２の背部に保形性シートによって形成された舌片を、台紙１に設けたスリットに挿通して、舌片を抜き止め手段により保持して、取り付けたシュリンクフィルム付台紙もあった（特許文献３）。
【０００６】
一方、台紙１については記載されていないが、筒状のシュリンクフィルム２を用いてシュリンク包装を行う方法で、首部より径の大きい胴部を有する容器の首部にフィットして、シワなどの発生しないシュリンク包装をスムーズに効率よく、的確に行う方法として、以下の包装方法があった。
【０００７】
すなわち、筒状のシュリンクフィルム２を、シュリンク包装する対象のビンまたは容器の大きさ以上のサイズに切断し、円筒状とする第１工程、該筒状のシュリンクフィルム２を開口し、容器の上部首部の一部を該筒状のシュリンクフィルム２の一端に挿入し、他の端部が平面を形成するに十分の長さを持つように挿入する第２工程、次いで該端部を容器の上部首部の断面形状に類似した形状に溶断し、溶断した不要部を取り除く第３工程、該容器を完全に覆う状態まで挿入し、筒状のシュリンクフィルム２によって覆われた容器の底部の部分のみに熱風をあてて、筒状のシュリンクフィルム２を収縮させる第４工程、引き続き加熱トンネルを通して本収縮させる第５工程からなるシュリンク包装方法があった（特許文献４）。
【０００８】
公知文献を以下に示す。
【先行技術文献】
【特許文献】
【０００９】
【特許文献１】特開昭４９−３７９６号公報
【特許文献２】特開２０００−３３９６８号公報
【特許文献３】特開２００９−１０７７０２号公報
【特許文献４】特開平３−２８９４２２号公報
【発明の概要】
【発明が解決しようとする課題】
【００１０】
特許文献１から特許文献３に記載のシュリンク付台紙で、被包装物３をシュリンクして包装するとき、筒状のシュリンクフィルム２内部に被包装物３を挿入する作業を行うが、シュリンクフィルム２の下端と台紙１の下端との位置は同じであるが、被包装物３の下端の位置が異なる場合、あるいは、シュリンクフィルム２の下端と台紙１の下端と被包装物３の下端との位置がそれぞれ異なる場合、被包装物３をどの位置まで挿入すればよいか、目視で判断しなければならない。印刷によって挿入する位置に印をつけてもよいが、いずれにしても目視で判断しなければならず、挿入してから位置の調整は必要である。
【００１１】
特許文献４に記載のシュリンク包装方法では、筒状のシュリンクフィルム２の端部を容器（被包装物３）の上部首部の断面形状に類似した形状に溶断し、溶着部を設けているので、被包装物３を溶着部まで挿入して位置決めすることができる。しかし、筒状のシュリンクフィルムの端部を容器の上部首部の断面形状に類似した形状に溶断したので、不要部を取り除く必要がある。
【００１２】
本発明は上記した事情に鑑みてなされたもので、筒状のシュリンクフィルム内部に被包装物を挿入するときの位置決めが容易にできるシュリンクフィルム付台紙の包装体およびその製造方法を提供することを課題としている。
【課題を解決するための手段】
【００１３】
本発明の請求項１に係る発明は、被包装物が筒状のシュリンクフィルムの中にシュリンク包装され、台紙の前パネルと後パネルの間に取り付けられたシュリンクフィルム付台紙の包装体であって、前記前パネルと後パネルのうち少なくとも一方に窓部が設けられ、該窓部の上部の形状が、前記被包装物の縦断面の外形の上部の形状と略同形状であることを特徴とするシュリンクフィルム付台紙の包装体である。
【００１４】
本発明のシュリンクフィルム付台紙は、以上のような構成であって、窓部の上部の形状が、前記被包装物の縦断面の外形の上部の形状と略同形状であるので、筒状のシュリンクフィルムに被包装物を挿入したときに、被包装物の上端部が窓部の上端部に当たり、そこに位置決めすれば良いので、位置決めが容易である。
【００１５】
本発明の請求項２に係る発明は、前記筒状のシュリンクフィルムが、前記前パネルと後パネルにそれぞれ接着されていることを特徴とする請求項１に記載のシュリンクフィルム付台紙の包装体である。
【００１６】
本発明は、請求項１に記載のシュリンクフィルム付台紙であって、上記のように、筒状のシュリンクフィルムが、前パネルと後パネルにそれぞれ接着されているので、前パネルと後パネルを開くと、筒状のシュリンクフィルムが開き、筒状のシュリンクフィルムの中に被包装物を挿入しやすい。
【００１７】
本発明の請求項３に係る発明は、請求項１または２に記載されているシュリンクフィルム付台紙の包装体の製造方法であって、
前記前パネルと後パネルと、貼着板を有し、窓部の設けられた台紙に、接着剤を塗布し接着部を設ける工程、
接着部に筒状のシュリンクフィルムを取り付ける工程、
前記貼着板に接着剤を塗布する工程、
前記前パネルと後パネルを対向するように折り、更に貼着板を折って貼着し、前記台紙を筒状にする工程、
前記前パネルと後パネルを開き、筒状のシュリンクフィルムを開く工程、
開かれた筒状のシュリンクフィルム中に被包装部を挿入し、該被包装物の上端部を窓部の上端部に突き当てて、位置決めする工程を有することを特徴とするシュリンクフィルム付台紙の包装体の製造方法ある。
【００１８】
本発明は、請求項１または２に記載されているシュリンクフィルム付台紙の包装体の製造方法において、開かれた筒状のシュリンクフィルム中に被包装部を挿入し、被包装物の上端部を窓部の上端部に突き当てて位置決めすれば良いので、位置決めが容易である。
【００１９】
本発明の請求項４に係る発明は、該被包装物の上端部を窓部の上端部に突き当てて位置決めする際に、前記窓部周辺の前記前パネルと後パネルを接近するように押圧しながら位置決めすることを特徴とする請求項３に記載のシュリンクフィルム付台紙の包装体の製造方法である。
【００２０】
本発明は、請求項３に記載のシュリンクフィルム付台紙の包装体の製造方法において、窓部周辺の前記前パネルと後パネル接近するように押圧しながら被包装物の上端部を窓部の上端部に突き当てて位置決めするので、被包装物の上端部が窓部の上端部に確実に突き当たり、位置決めが容易にできる。
【発明の効果】
【００２１】
本発明のシュリンクフィルム付台紙の包装体およびその製造方法は、筒状のシュリンクフィルム内部に被包装物を挿入するときの位置決めが容易にできる。
【図面の簡単な説明】
【００２２】
【図１】本発明のシュリンクフィルム付台紙の包装体の一例を模式的に示した説明図である。
【図２】本発明のシュリンクフィルム付台紙の包装体の一例の台紙を開いた状態を模式的に示した説明図である。
【図３】図４の台紙に筒状のシュリンクフィルムを取り付けた状態を模式的に示した説明図である。
【図４】本発明のシュリンクフィルム付台紙の包装体の一例の被包装物である。（Ａ）正面図である。（Ｂ）平面図である。
【図５】（Ａ）図２（Ｂ）のＸ−Ｘ断面の外形図である。（Ｂ）図２（Ｂ）のＹ−Ｙ断面の外形図である。
【図６】（Ａ）従来のシュリンクフィルム付台紙の一例を模式的に示した説明図である。（Ｂ）従来のシュリンクフィルム付台紙の一例を用いた包装体の一例を模式的に示した説明図である。
【発明を実施するための形態】
【００２３】
以下本発明を実施するための形態につき説明する。
【００２４】
図１は、本発明のシュリンクフィルム付台紙の包装体の一例を模式的に示した説明図である。図２は、本発明のシュリンクフィルム付台紙の包装体の一例の台紙を開いた状態を模式的に示した説明図である。図３は、図２の台紙に筒状のシュリンクフィルムを取り付けた状態を模式的に示した説明図である。図４は、本発明のシュリンクフィルム付台紙の包装体の一例の被包装物である。（Ａ）正面図である。（Ｂ）平面図である。図５（Ａ）
は、図４（Ｂ）のＸ−Ｘ断面の外形図である。（Ｂ）は、図４（Ｂ）のＹ−Ｙ断面の外形図である。
【００２５】
本例のシュリンクフィルム付台紙の包装体１００は、図１のように、台紙１に筒状のシュリンクフィルム２にシュリンク包装された被包装物３が取り付けられていて、台紙１に設けられた窓部４から、シュリンクフィルム２にシュリンク包装された被包装物３の一部が台紙１より、前方に飛び出している。
【００２６】
また、台紙１の上部には、吊下げ孔５が設けられていて、店舗などで商品展示台に設けられたフックなどに吊下げ展示できるようになっている。
【００２７】
シュリンクフィルム付台紙の包装体１００の台紙１は、開いて内面側から見た図２のように、前パネル１１と後パネル１２と貼着板１３からなっていて、前パネル１１と後パネル１２の間と、貼着板１３と前パネル１１の間は折罫が設けられ連続している。
【００２８】
前パネル１１の上部に貫通孔からなる吊下げ孔５が設けられ、その下方に打ち抜かれた窓部４が設けられている。そして、窓部４の下方に、接着剤が塗布された前接着部６が設けられている。前パネル１１の上端は、後パネル１２の上端より上に伸びていて、吊下げ孔５は後パネル１２の上端より上になるように設けられている。
【００２９】
後パネル１２には、その左右中央部に、縦長の後接着部７が設けられている。また、後接着部７を挟むように、２本の並列した易切断線８ａ、８ｂよりなる切断帯が後パネル１２の下端から上方に向けて設けられている。
【００３０】
易切断線８ａ、８ｂは、後パネル１２がそれに沿って切れやすくなるものであれば、特に限定されるものではなく、ハーフカット線でもよいが、本例では、貫通した小切れ込みが、未切断部を間において連続して並び易切断線８ａ、８ｂを形成し、小切れ込みの形状は、切断方向上流側が、２本の並列した易切断線８ａ、８ｂの互いに内方に折れ曲がっている。
【００３１】
図３は、図２の台紙１に、筒状のシュリンクフィルム２を取り付けた状態を示している。筒状のシュリンクフィルム２は、筒の軸方向が縦に、縦長の後接着部７の長手方向なるようにして、後接着部７を介して、後パネル１２に接着されている。
【００３２】
筒状にしたシュリンクフィルム２は、平らなシュリンクフィルムを両側縁が重なるように、筒状に丸めて重なり合って側縁部分を接着して封筒貼り部４を設けて、筒状とし、この封筒貼りしたシュリンクフィルムを、筒をつぶすように折って、筒状のシュリンクフィルム２としたものである。
【００３３】
このシュリンクフィルム２を取り付けた平坦状の台紙１を、前パネル１１と後パネル１２の間の折罫を折り、さらに、前パネル１１と貼着板１３の間の折罫を折り、貼着板１３を後パネル１２の背面側に貼着すると筒状となる。このとき、筒状のシュリンクフィルム２の正面側も前接着部６を介して前パネル１１に接着され、シュリンクフィルム付台紙が出来上がる。
【００３４】
このシュリンクフィルム付台紙の窓部４の上部の形状は、被包装物３の縦断面の外形の上部の形状と略同形状になっている。本例の被包装物３は、キャップ３１と容器本体３２からなるボトルである。図４（Ａ）は、被包装物３の正面図で、図４（Ｂ）は、その平面図である。図５（Ａ）は、図４（Ｂ）のＸ−Ｘ断面の外形図で、図５（Ｂ）は、図４（Ｂ）のＹ−Ｙ断面の外形図である。
【００３５】
このような被包装物３の縦断面の外形の上部の形状に合わせて、窓部４の上部の形状としている略同形状に。本例では、図５（Ａ）の外形図のフラットな天部３１１からキャップ３１のスカート部３１２の傾斜までの被包装物３の断面の外形の上部と略同形状に窓部４の上部を形成している。
【００３６】
このように、窓部４の上部の形状が、被包装物３の縦断面の外形の上部の形状と略同形状であるので、筒状のシュリンクフィルム２に被包装物３を挿入するときに、被包装物３の上端部が窓部４の上端部に当たるまで挿入すればよいので、位置決めが容易になる。
【００３７】
本発明のシュリンクフィルム付台紙の包装体１００の製造方法に付いて説明する。
シュリンクフィルム２は、幅広で長尺のシュリンクフィルムに必要に応じて印刷を施し、スリットして、幅方向の両端を重ね合わせて封筒貼りして、決められた折径になるように筒状にし、筒をつぶすように折って長尺のまま紙管に巻き取っておく。
【００３８】
台紙１も、必要に応じて印刷を施した多面付けの台紙用紙から、断裁や、抜き工程によって、1枚ずつ切り離された台紙１としておく。このとき窓部４や吊下げ孔５を同時に抜き、また、易切断線８ａ、８ｂも切り込みとして設け、また前パネル１１と貼着板１３の間と、前パネル１１と後パネル１２の間に折罫も入れる。
【００３９】
この台紙１に接着剤を塗布し、前接着部６と後接着部７を設ける。これにより、図２のような台紙１が得られる。次に、筒をつぶすように折った長尺のシュリンクフィルムを所定の長さに切断し、所定の長さの筒状のシュリンクフィルム２とし、後接着部７に、図３のように取り付ける。
【００４０】
次に、貼着板１３の内面側に接着剤を塗布する。そして、前パネル１１と後パネル１２を、筒状のシュリンクフィルム２を挟んで対向するように、前パネル１１と後パネル１２の間の折罫で折り、さらに、貼着板１３と前パネル１１の間の折罫で折り、貼着板１３を後パネル１２の背面に貼着し、台紙１を筒状にする。
【００４１】
このとき、前パネル１１の下方に設けた前接着部６を介して、前パネル１１と筒状のシュリンクフィルム２の正面側が接着される。このようにして、本発明に用いるシュリンクフィルム付台紙が製造される。
【００４２】
このシュリンクフィルム付台紙の下端から、前パネル１１と後パネル１２を開く。筒状のシュリンクフィルム２は、その正面側と背面側がそれぞれ前パネル１１と後パネル１２に接着されているので、筒状のシュリンクフィルム２も開くことになる。
【００４３】
この開かれた筒状のシュリンクフィルム２の中に被包装部３を挿入し、被包装物３の上端部を窓部４の上端部に突き当てる。これにより、筒状のシュリンクフィルム２の中の被包装部３の位置決めをすることができる。
【００４４】
この被包装物３の上端部を窓部４の上端部に突き当てて位置決めする際に、窓部４周辺の前パネル１１と後パネル１２を接近するように押圧しながら位置決めする。このようにすると、被包装物３の上端部が窓部４の上端部に確実に突き当たり、位置決めが容易にできる。
【００４５】
本発明のシュリンクフィルム付台紙の包装体１００に用いる台紙１には、紙、プラスチックシート、或いは金属板などの板状のものが使用できる。紙としては、厚紙で腰のあるものであれば、特に限定されない。また表面にアルミ蒸着層のあるアルミ蒸着紙なども使用できる。
【００４６】
シュリンクフィルム２には、熱で収縮するフィルムであればよく、また、筒が細くなる方向の収縮が、筒が短くなる方向の収縮より大きいフィルムが、シュリンク包装を行う際の収縮時に被包装物３がシュリンクフィルム２から外れることがないので、本用途には適している。
【００４７】
シュリンクフィルム２の材質としては、ポリスチレン、ポリ塩化ビニル、ポリプロピレン、ポリエチレン、或いは、ポリエステル系の樹脂が好ましく用いられる。ポリエステル系の樹脂として、農産物由来の持続可能な素材である、ポリ乳酸を用いることも可能であり、環境に対応した包装として好ましく用いることができる。
【００４８】
前接着部６と後接着部７に用いる接着剤には、粘着剤を用いても良い。また、ホットメルト接着剤を用いても良い。特に日の当たる店頭などで、高温に曝されることを考慮すると反応型ホットメルト接着剤が好ましく用いることができる。
【００４９】
従来のホットメルト接着剤は、熱可塑性樹脂を成分として、固形のホットメルト接着剤を加熱、融解して塗布し、冷却することにより固化・接着するものであり、加熱溶融させて用いるため、耐熱性の点では限界がある。
【００５０】
反応型ホットメルト接着剤は、最初は固形であって、これを加熱溶融させて用いることは、従来の可塑性樹脂のホットメルト接着剤と同じであるが、塗布、冷却後に、反応が進み硬化して、耐熱性などの物性の高い接着性が得られる。
【００５１】
ウレタン樹脂を主成分とした反応型ホットメルト接着剤は、加熱溶融により生成されたウレタンプレポリマーが、冷却されると末端イソシアネート基を残した状態で固化し、冷却された後も、空気中や被着材に含まれる水分と末端イソシアネート基が反応し、高分子化が進み、より耐熱性の高い接着性を得ることができる。ウレタン樹脂を主成分とした反応型ホットメルト接着剤は、塗布後に特に硬化を進めるための処理を必要としないので、好ましく用いることができる。
【符号の説明】
【００５２】
１００・・シュリンクフィルム付台紙の包装体
１・・・・台紙
２・・・・シュリンクフィルム
３・・・・被包装物
４・・・・窓部
５・・・・吊下げ孔
６・・・・前接着部
７・・・・後接着部
８ａ、８ｂ・・・易切断線
１１・・・前パネル
１２・・・後パネル
１３・・・貼着板
３１・・・キャップ
３２・・・容器本体
３１１・・天部
３１２・・スカート部
【図１】
2013082461.tif 000003
【図２】
2013082461.tif 000004
【図３】
2013082461.tif 000005
【図４】
2013082461.tif 000006
【図５】
2013082461.tif 000007
【図６】
2013082461.tif 000008